(57)【要約】【課題】セルカバレッジ外においてもユーザ装置間でＤ２Ｄ通信を行うことを可能とする技術を提供する。【解決手段】コンフィギュレーション情報による設定に基づいて他の通信装置と無線で通信を行う通信装置において、デフォルトコンフィギュレーション情報を保持する記億部と、前記他の通信装置に前記記億部に保持されているデフォルトコンフィギュレーション情報を送信する送信部と、前記他の通信装置からデフォルトコンフィギュレーション情報を受信する受信部と、デフォルトコンフィギュレーション情報により前記他の通信装置と無線で通信を行うための設定を行う制御部とを備える。【選択図】図５
2015089040.tif 000002
【特許請求の範囲】
【請求項１】
コンフィギュレーション情報による設定に基づいて他の通信装置と無線で通信を行う通信装置であって、
デフォルトコンフィギュレーション情報を保持する記億部と、
前記他の通信装置に前記記億部に保持されているデフォルトコンフィギュレーション情報を送信する送信部と、
前記他の通信装置からデフォルトコンフィギュレーション情報を受信する受信部と、
デフォルトコンフィギュレーション情報により前記他の通信装置と無線で通信を行うための設定を行う制御部と
を備えることを特徴とする通信装置。
【請求項２】
前記各デフォルトコンフィギュレーション情報は、デフォルトコンフィギュレーションの内容に対応するインデックスである
ことを特徴とする請求項１に記載の通信装置。
【請求項３】
前記制御部は、前記受信部により受信したデフォルトコンフィギュレーション情報が、前記記億部に保持されていない場合に、当該受信したデフォルトコンフィギュレーション情報を破棄し、当該デフォルトコンフィギュレーション情報を保持していないことを前記他の通信装置に通知する
ことを特徴とする請求項１又は２に記載の通信装置。
【請求項４】
前記記億部に保持されたデフォルトコンフィギュレーション情報は、前記通信装置と通信を行う基地局から受信した情報である
ことを特徴とする請求項１ないし３のうちいずれか１項に記載の通信装置。
【請求項５】
前記通信装置と前記他の通信装置との間で行われる通信はＤ２Ｄ通信であり、前記送信部は、デフォルトコンフィギュレーション情報を含む発見信号を送信する
ことを特徴とする請求項１ないし４のうちいずれか１項に記載の通信装置。
【請求項６】
前記制御部は、前記通信装置が基地局のセルカバレッジ内に存在しないことを検知したときに、デフォルトコンフィギュレーション情報による設定を行う
ことを特徴とする請求項１ないし５のうちいずれか１項に記載の通信装置。
【請求項７】
前記制御部は、前記通信装置においてＤ２Ｄ通信を使用するアプリケーションが起動されたことを検知したときに、デフォルトコンフィギュレーション情報による設定を行う  
ことを特徴とする請求項１ないし５のうちいずれか１項に記載の通信装置。
【請求項８】
コンフィギュレーション情報による設定に基づいて他の通信装置と無線で通信を行う通信装置が実行するコンフィギュレーション制御方法であって、
前記通信装置はデフォルトコンフィギュレーション情報を保持する記億部を備えており、
前記他の通信装置に前記記億部に保持されているデフォルトコンフィギュレーション情報を送信するとともに、前記他の通信装置から、デフォルトコンフィギュレーション情報を受信するステップと、
デフォルトコンフィギュレーション情報を使用して前記他の通信装置と無線で通信を行うための設定を行うステップと
を備えることを特徴とするコンフィギュレーション制御方法。
【発明の詳細な説明】
【技術分野】
【０００１】
本発明はＤ２Ｄ通信（装置対装置通信）に関するものであり、特に、基地局のセルカバレッジ外でＤ２Ｄ通信を行うための技術に関するものである。
【背景技術】
【０００２】
移動体通信では、端末（以下、ユーザ装置ＵＥと呼ぶ）と基地局ｅＮＢが通信を行うことによりユーザ装置ＵＥ間で通信を行うことが一般的であるが、近年、ユーザ装置ＵＥ間で直接に通信を行うＤ２Ｄ通信についての種々の技術が検討されている（例えば非特許文献１）。ユーザ装置ＵＥ間で通信を行う際に、一方のユーザ装置ＵＥは、近隣の他方のユーザ装置ＵＥから発見信号を受信することでＤ２Ｄの通信相手となる当該ユーザ装置ＵＥを発見し、当該ユーザ装置ＵＥとの間で接続設定等を行うことにより、当該ユーザ装置ＵＥとＤ２Ｄ通信を行う。
【０００３】
Ｄ２Ｄ通信により、ユーザ装置ＵＥ−基地局ｅＮＢ間のトラフィックをオフロードしたり、災害時等において基地局ｅＮＢが通信不能となった場合にも通信を行うことが可能となる。
【先行技術文献】
【非特許文献】
【０００４】
【非特許文献１】３ＧＰＰ  ＴＳＧ  ＲＡＮ  Ｍｅｅｔｉｎｇ  ＃５８、ＲＰ−１２２００９、０７−Ｄｅｃ−２０１２
【発明の概要】
【発明が解決しようとする課題】
【０００５】
通常の基地局ｅＮＢを介した通信と同様に、Ｄ２Ｄ通信においても、ユーザ装置ＵＥが通信に用いるコンフィギュレーション（ｃｏｎｆｉｇｕｒａｔｉｏｎ）の情報は、基地局ｅＮＢからのシグナリングによって通知されたものを用いる。なお、コンフィギュレーションは「設定」と称してもよい。また、Ｄ２Ｄ通信では、ユーザ装置ＵＥ間で、通信相手がどのようなコンフィギュレーションを用いているかを互いに把握しておく必要がある。コンフィギュレーションとして例えばベアラ（無線パケットの伝達経路）の設定がある。
【０００６】
ここで、ユーザ装置ＵＥ間でＤ２Ｄ通信を行う環境としては、基地局ｅＮＢにより形成されるセルのカバレッジ内のみならず、カバレッジ外も検討されている。災害時等において、基地局ｅＮＢが障害を受けた場合等を考慮して、セルカバレッジ外でもＤ２Ｄ通信を実行できることが望まれている。
【０００７】
しかし、セルのカバレッジ外では、ユーザ装置ＵＥは基地局ｅＮＢからのシグナリングを受信することができないため、ユーザ装置ＵＥは、Ｄ２Ｄ通信時に、どのようなコンフィギュレーションを用いればよいのか不明であり、このままではＤ２Ｄ通信を行うことができない。
【０００８】
本発明は上記の点に鑑みてなされたものであり、セルカバレッジ外においてもユーザ装置間でＤ２Ｄ通信を行うことを可能とする技術を提供することを目的とする。
【課題を解決するための手段】
【０００９】
本発明の一実施形態によれば、コンフィギュレーション情報による設定に基づいて他の通信装置と無線で通信を行う通信装置であって、
デフォルトコンフィギュレーション情報を保持する記億部と、
前記他の通信装置に前記記億部に保持されているデフォルトコンフィギュレーション情報を送信する送信部と、
前記他の通信装置からデフォルトコンフィギュレーション情報を受信する受信部と、
デフォルトコンフィギュレーション情報により前記他の通信装置と無線で通信を行うための設定を行う制御部とを備える通信装置が提供される。
【発明の効果】
【００１０】
本発明の一実施形態によれば、セルカバレッジ外においてもユーザ装置間でＤ２Ｄ通信を行うことを可能とする技術が提供される。
【図面の簡単な説明】
【００１１】
【図１】本実施の形態に係る通信システムの全体構成図である。
【図２】ＲＲＣ  ｃｏｎｎｅｃｔｉｏｎ  ｒｅｃｏｎｆｉｇｕｒａｔｉｏｎを示す図である。
【図３】ＲａｄｉｏＲｅｓｏｕｒｃｅＣｏｎｆｉｇＤｅｄｉｃａｔｅｄを示す図である。
【図４】ユーザ装置ＵＥが保持するデフォルトコンフィギュレーションの情報の例である。
【図５】動作例１を説明するためのシーケンス図である。
【図６】動作例２を説明するためのシーケンス図である。
【図７】動作例３を説明するためのシーケンス図である。
【図８】本発明の実施の形態に係るユーザ装置ＵＥ１００の機能構成図である。
【図９】ユーザ装置ＵＥ１００の動作例を示すフローチャートである。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、ＬＴＥに準じた無線通信方式を前提とし、ユーザ装置ＵＥ間のＤ２Ｄ通信でも、ＵＥ−ｅＮＢ間における無線インタフェースプロトコル（ＲＲＣ、ＰＤＣＰ、ＲＬＣ、ＭＡＣ、ＰＨＹ）と同様の無線インタフェースプロトコルを使用することを想定しているが、本発明の対象となる無線通信方式はこのようなＬＴＥに準じた方式に限られるわけではない。
【００１３】
また、本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む意味で使用する。
【００１４】
（システム全体構成、動作内容）
図１に、本実施の形態に係る通信システムの全体構成図を示す。図１に示すように、本実施の形態に係る通信システムは、Ｄ２Ｄ通信を行うユーザ装置ＵＥ１とユーザ装置ＵＥ２を有する。また、図１には、基地局ｅＮＢが示されているが、図１に示す状態では、例えば基地局ｅＮＢが故障しており、基地局ｅＮＢと各ユーザ装置ＵＥとの間では無線通信ができない。基地局ｅＮＢが正常に機能している場合、ユーザ装置ＵＥ１は基地局ｅＮＢにより形成されるセルのカバレッジ内にあるが、ユーザ装置ＵＥ２はカバレッジ外にある。
【００１５】
図１に示す各ユーザ装置ＵＥは、基地局ｅＮＢを介した一般的な携帯電話網通信を行う機能とＤ２Ｄ通信機能の両方を有するものとするが、本発明は、Ｄ２Ｄ通信機能のみを持つユーザ装置ＵＥにも適用できる。Ｄ２Ｄ通信機能としては、所定の無線リソースで発見信号（ｄｉｓｃｏｖｅｒｙ  ｓｉｇｎａｌ）を送信する機能、発見信号を受信し、発見信号の送信元のユーザ装置ＵＥと無線接続設定処理（無線ベアラ設定等）を行って、Ｄ２Ｄ通信を行う機能等を含む。上記の無線接続を行う前提として、Ｄ２Ｄ通信を行うユーザ装置ＵＥ１とユーザ装置ＵＥ２は互いにどのコンフィギュレーションを用いるかを把握する必要がある。
【００１６】
本実施の形態では、Ｄ２Ｄ通信時におけるコンフィギュレーションの情報を、デフォルトコンフィギュレーション（ｄｅｆａｕｌｔ  ｃｏｎｆｉｇｕｒａｔｉｏｎ（ｓｐｅｃｉａｌ  ｃｏｎｆｉｇｕｒａｔｉｏｎと称してもよい））の情報として、Ｄ２Ｄ通信を行う各ユーザ装置ＵＥが予め保持する。
【００１７】
＜デフォルトコンフィギュレーションについて＞
本実施の形態において、デフォルトコンフィギュレーションの情報は、ユーザ装置ＵＥが基地局ｅＮＢからのシグナリングでコンフィギュレーションの情報を受信しなくても、ユーザ装置ＵＥ間でＤ２Ｄ通信を行うことを可能とする情報である。従って、本実施の形態で各ユーザ装置ＵＥが保持するデフォルトコンフィギュレーションの情報は、セルカバレッジ内において、無線接続のために基地局ｅＮＢからシグナリングで受信するコンフィギュレーションの情報と基本的に同じである。
【００１８】
ただし、通常の無線接続のために基地局ｅＮＢからシグナリングで受信するコンフィギュレーションの情報の全てをデフォルトコンフィギュレーションの情報として保持しておくことは必須ではなく、例えば、ユーザ装置ＵＥがセルカバレッジ内に存在するときに受信したコンフィギュレーションの情報のうち、セルカバレッジ外のＤ２Ｄ通信においても使用できるものはそれを使用すればよい。
【００１９】
本実施の形態においては、デフォルトコンフィギュレーションの情報としてユーザ装置ＵＥが保持する情報は、例えば、ＰＤＣＰ／ＲＬＣ／ＭＡＣ等のベアラ情報やＰＨＹのコンフィギュレーション情報を含む。
【００２０】
より具体的には、本実施の形態では、ユーザ装置ＵＥが保持するデフォルトコンフィギュレーションの情報は、基本的に、ＬＴＥのＲＲＣ  ｃｏｎｎｅｃｔｉｏｎ  ｒｅｃｏｎｆｉｇｕｒａｔｉｏｎに含まれるＩＥの情報の全部又は一部を含む（３ＧＰＰ  ＴＳ３６．３３１  Ｖ１１．５．０の６．２．２章）。図２に、当該ＩＥを示す。特に、図２に示す情報のうち、下線を引いた"ｒａｄｉｏＲｅｓｏｕｒｃｅＣｏｎｆｉｇＤｅｄｉｃａｔｅｄ"に含まれるＭＡＣ−ＭａｉｎｃｏｎｆｉｇやＰｈｙｓｉｃａｌ  ｃｏｎｆｉｇ  ｄｅｄｉｃａｔｅ、ｄｒｂ−ＴｏａｄｄＭｏｄＬｉｓｔ等のベアラの設定情報はデータ送受信を行う上で必要な情報であり、デフォルトコンフィギュレーションの情報に含まれる（３ＧＰＰ  ＴＳ３６．３３１  Ｖ１１．５．０の６．３．２章）。図３に当該情報を、下線を引いて示す。
【００２１】
各ユーザ装置ＵＥは、デフォルトコンフィギュレーションの情報を１セットだけ保持してもよいし複数保持してもよいが、本実施の形態では、複数保持している。デフォルトコンフィギュレーションの情報を複数保持するとは、例えば、コンフィギュレーションの項目（例：Ｐｈｙｓｉｃａｌ  ｃｏｎｆｉｇ  ｄｅｄｉｃａｔｅ)に含まれる複数パラメータの値のセットを複数保持することであってもよいし、当該コンフィギュレーションの項目内のより詳細な項目毎に、複数のパラメータの値を有することであってもよいし、これらの組み合わせであってもよい。
【００２２】
例えば、説明を分かり易くするために、デフォルトコンフィギュレーションの情報として、「コンフィギュレーションＡ」のパラメータの値のセットを複数保持するものとする。そして、本実施の形態では、各セットにインデックスを振る。このインデックスは予め定義されるものであり、各ユーザ装置ＵＥは、インデックスの値により、そのセットの内容を識別可能である。
【００２３】
例えば、各ユーザ装置ＵＥは、「コンフィギュレーションＡ」の１０種類のセットを保持する。１０種類のセットには、１〜１０のインデックスが振られており、あるユーザ装置ＵＥが、他のユーザ装置ＵＥから、使用するコンフィギュレーションの情報として「１」を受信した場合に、受信したユーザ装置ＵＥは、他のユーザ装置ＵＥが「１」に対応するコンフィギュレーションを使用していることを把握できる。このような形でユーザ装置ＵＥに保持されるデフォルトコンフィギュレーションの情報の例を図４に示す。
【００２４】
また、例えば、各ユーザ装置ＵＥが、デフォルトコンフィギュレーションとして「コンフィギュレーションＡ」と「コンフィギュレーションＢ」を使用し得る場合、コンフィギュレーションの通知の際に、コンフィギュレーションの名前（"コンフィギュレーションＡ"等）と値のセットに対応するインデックスの組とを通知してもよいし、「コンフィギュレーションＡ」と「コンフィギュレーションＢ」の全体でインデックス化し、当該インデックスを通知することとしてもよい。なお、「コンフィギュレーションの名前とインデックスの組」をインデックスと解釈することもできる。また、使用するコンフィギュレーションが複数のインデックスに対応する場合は、複数のインデックスを通知してもよい。なお、インデックスを用いることは必須ではない。デフォルトコンフィギュレーションの情報（パラメータの値等）そのものを送受信することとしてもよい。
【００２５】
Ｄ２Ｄ通信を行う各ユーザ装置ＵＥは、例えば発見信号（Ｄｉｓｃｏｖｅｒｙ  ｓｉｇｎａｌ）内に上記のインデックスを含めて送信する。また、発見信号以外の信号でインデックスを通知してもよい。
【００２６】
また、デフォルトコンフィギュレーションの情報は、例えば端末出荷時に埋め込みで設定される。この場合、デフォルトコンフィギュレーションの情報は仕様で規定され、変更はできないことが想定される。また、デフォルトコンフィギュレーションの情報を、ユーザ装置ＵＥがセルカバレッジ内に存在するときに、ＡＴＴＡＣＨ時等の任意のタイミングで基地局ｅＮＢからシグナリングで通知し、通知された情報をユーザ装置ＵＥがデフォルトコンフィギュレーションの情報として保持することとしてもよい。シグナリングによるデフォルトコンフィギュレーションの情報は、ＲＲＣやＭＡＣ等いかなるレイヤで通知されてもよい。
【００２７】
各ユーザ装置ＵＥが保持するデフォルトコンフィギュレーションの情報はユーザ装置ＵＥ間で同一であることは必須ではない。例えば、あるユーザ装置ＵＥは「１」と「２」のインデックスに対応するコンフィギュレーションの情報を持ち、他のユーザ装置ＵＥは「３」と「４」のインデックスに対応するコンフィギュレーションの情報を保持することがあり得る。ユーザ装置ＵＥに対して、どの情報をデフォルトコンフィギュレーションの情報として設定するかは、例えば、当該ユーザ装置ＵＥの能力、用途等に応じて決定することが考えられる。
【００２８】
（システムの動作例）
次に、図５、図６を参照して本実施の形態に係るシステムの基本的な動作例を説明する。
【００２９】
＜動作例１＞
図５に示すように、ユーザ装置ＵＥ１とユーザ装置ＵＥ２は、それぞれ自身が使用するデフォルトコンフィギュレーションのインデックスを送信し、相手からインデックスを受信する（ステップ１０１、ステップ１０３）。受信したインデックスは記億部に保持する。上記のインデックスの送信は、例えば発見信号にインデックスを含めることで行ってもよい。ユーザ装置ＵＥにおいて、複数のデフォルトコンフィギュレーションのセットを保持する場合に、自分がどのセットを使用するかは、固定的に設定されていてもよいし、Ｄ２Ｄ通信に使用するアプリケーションに応じて選択してもよい。
【００３０】
Ｄ２Ｄの通信相手が決まっていない場合は、インデックスの送信は、報知（ブロードキャスト）で行われるが、Ｄ２Ｄの通信相手が決まっている場合、インデックスの送信を当該通信相手宛に個別に行うこととしてもよい。
【００３１】
また、ユーザ装置ＵＥによるインデックスの送信は、ユーザ装置ＵＥにおけるＤ２Ｄ通信の開始のタイミングで行うこととしてもよい。図５においては、ユーザ装置ＵＥ１、ＵＥ２ともにＤ２Ｄ通信開始後であることを想定している。
【００３２】
ユーザ装置ＵＥにおけるＤ２Ｄ通信の開始タイミングとは、例えば、当該ユーザ装置ＵＥにおいてＤ２Ｄ通信を開始することを指示する操作がユーザによりなされたときである。これは具体的には、例えば、ユーザ装置ＵＥにおいてＤ２Ｄ通信を利用するアプリケーション（例：災害伝言板）が起動されたとき、緊急呼発信（ＳＯＳ等）を行うとき等である。
【００３３】
また、ユーザ装置ＵＥは、セルのカバレッジ外になったことを検知したときを、Ｄ２Ｄ通信の開始タイミングとしてもよい。また、ユーザ装置ＵＥは、Ｄ２Ｄの発見信号の受信を検出したとき、Ｄ２Ｄの発見信号の受信を検出しかつユーザからのＤ２Ｄ通信開始指示があるとき等を、Ｄ２Ｄ通信の開始タイミングとしてもよい。
【００３４】
更に、基地局ｅＮＢからＤ２Ｄ通信を行うことを指示されたときをＤ２Ｄ通信の開始タイミングとしてもよい。例えば、基地局ｅＮＢは、ｅＮＢ−ＵＥ間の無線インタフェースが混雑していることや、コアネットワーク内が輻輳していることを検知したときに、ユーザ装置ＵＥにＤ２Ｄ通信を行うことを指示し、トラフィックを近隣のユーザ装置ＵＥにオフロードさせることができる。
【００３５】
図５において、インデックスを受信したユーザ装置ＵＥ１、ＵＥ２は、自身が使用するデフォルトコンフィギュレーションをアクティベートする（ステップ１０２、ステップ１０４）。デフォルトコンフィギュレーションをアクティベートするとは、例えば、使用するデフォルトコンフィギュレーションのパラメータのセットを記億部から読み出し、パラメータを必要とする機能部（ソフトウェアである場合もある）に提供し、パラメータを必要とする機能部がパラメータを使用できるようにすることである。なお、デフォルトコンフィギュレーションをアクティベートすることを、デフォルトコンフィギュレーションを設定すると称してもよい。
【００３６】
自身が使用するデフォルトコンフィギュレーションをアクティベートするタイミングは上記の例に限られず、例えば、上述したＤ２Ｄ通信開始タイミングに相当するタイミングでアクティベートすることとしてもよい。また、ユーザ装置ＵＥは、デフォルトコンフィギュレーションをアクティベートした後、所定期間、データ通信が行われない場合には、デフォルトコンフィギュレーションをデアクティベートしてもよい。また、例えば、Ｄ２Ｄ通信の終了（接続切断）や、Ｄ２Ｄアプリケーションの終了等をトリガーにしてデフォルトコンフィギュレーションをデアクティベートしてもよい。
【００３７】
図５において、アクティベートしたコンフィギュレーションに基づいて、ユーザ装置ＵＥ１とユーザ装置ＵＥ２間で接続設定処理（ｃｏｎｎｅｃｔｉｏｎ  ｓｅｔｕｐ）を行い（ステップ１０５）、Ｄ２Ｄ通信路を確立して、Ｄ２Ｄ通信を行う（ステップ１０６）。
【００３８】
なお、上記の例では、ステップ１０１〜１０４に示すように、自身が使用するデフォルトコンフィギュレーションのインデックスを交換する動作を行うこととしているが、例えば、ユーザ装置ＵＥ２がユーザ装置ＵＥ１から先にインデックスを受信したことで、ユーザ装置ＵＥ２は、当該受信したインデックスのデフォルトコンフィギュレーションを使用することを決定してアクティベーションを行い、自身のインデックスをユーザ装置ＵＥ１に送信しないこととしてもよい。
【００３９】
このように、Ｄ２Ｄ通信を行うユーザ装置ＵＥ間で、同じインデックスのデフォルトコンフィギュレーションを使用することとすることができる。ただし、Ｄ２Ｄ通信を行うユーザ装置ＵＥ間で、同じインデックスのデフォルトコンフィギュレーションを使用することは必須ではない。Ｄ２Ｄ通信を行うことが可能であれば、ユーザ装置ＵＥ間でインデックスが異なっていてもよい。
【００４０】
＜動作例２＞
ユーザ装置ＵＥは、自身が保持していないインデックスを他の装置から受信する場合があることが考えられる。図６を参照して、ユーザ装置ＵＥ１が、ユーザ装置ＵＥ２から受信したインデックスを保持しない場合の動作例を説明する。
【００４１】
図５の場合と同様に、ユーザ装置ＵＥ１は自身が使用するインデックスを送信し、ユーザ装置ＵＥ２は当該インデックスを受信する（ステップ１０１）。ユーザ装置ＵＥ２は、ユーザ装置ＵＥ１から受信したインデックスを保持しており、当該インデックスに対応するコンフィギュレーションを解釈できるので、ユーザ装置ＵＥ１と通信できると判定し、自身のコンフィギュレーションをアクティベートする（ステップ１０２）。
【００４２】
また、ユーザ装置ＵＥ２は自身で使用するインデックスを送信し、ユーザ装置ＵＥ１が当該インデックスを受信する（ステップ１０３）。ユーザ装置ＵＥ１は、自身が保持するデフォルトコンフィギュレーションのインデックスの中にユーザ装置ＵＥ２から受信したインデックスが無いことを確認すると、ユーザ装置ＵＥ２から受信したインデックスを破棄する（ステップ１０７）。ユーザ装置ＵＥ２から受信したインデックスに対応するコンフィギュレーションを解釈することができず、当該インデックスを保持する必要がないからである。
【００４３】
また、ユーザ装置ＵＥ１は、ユーザ装置ＵＥ２から受信したインデックスを保持しないことを示す通知をユーザ装置ＵＥ２に送信してもよい（ステップ１０８）。これにより、ユーザ装置ＵＥ２は、ユーザ装置ＵＥ１とＤ２Ｄ通信できないことを把握でき、ユーザ装置ＵＥ１にＤ２Ｄ通信接続要求を送信するといった動作を回避することができる。
【００４４】
＜動作例３＞
本実施の形態では、各ユーザ装置ＵＥはデフォルトコンフィギュレーションの情報と、基地局ｅＮＢから通知されるコンフィギュレーションの情報（デフォルトコンフィギュレーションの情報としてではなく通知されるもの）の２つの情報を保持し得る。本実施の形態では、基本的に、ユーザ装置ＵＥが基地局ｅＮＢのカバレッジ内にいる場合、当該ユーザ装置ＵＥは基地局ｅＮＢから指示されるコンフィギュレーションに従って設定を行う。ただし、ユーザ装置ＵＥは、基地局ｅＮＢからの指示（報知／ｄｅｄｉｃａｔｅｄ）に基づいてデフォルトコンフィギュレーションへ設定変更してもよい。当該基地局ｅＮＢからの指示には、デフォルトコンフィギュレーションのインデックスを含み、指示を受けたユーザ装置ＵＥは、受信したインデックスのデフォルトコンフィギュレーションへの設定を行うようにしてもよい。
【００４５】
また、ユーザ装置ＵＥは、基地局ｅＮＢのカバレッジ内にいる状態から、基地局ｅＮＢのカバレッジ内にいない状態になったことを検知した場合に、自律的に、使用するコンフィギュレーションをデフォルトコンフィギュレーションへ変更してもよい。
【００４６】
また、基地局ｅＮＢカバレッジ内にいるユーザ装置ＵＥから、基地局ｅＮＢカバレッジ外のユーザ装置ＵＥに対してコンフィギュレーションのインデックスが通知（報知）される場合、基地局ｅＮＢカバレッジ外のユーザ装置ＵＥは、受信したインデックスに合わせて自身のコンフィギュレーション設定を行うことが望ましい。その理由は、基地局ｅＮＢカバレッジ内のユーザ装置ＵＥのコンフィギュレーションは基地局ｅＮＢから指定されたものである可能性が高いため、カバレッジ外ユーザ装置ＵＥがそちらにあわせてコンフィギュレーションを設定することが呼制御の観点で望ましいからである。なお、基地局ｅＮＢカバレッジ内にいるユーザ装置ＵＥが、基地局ｅＮＢから受信したインデックスを送信する際には、基地局ｅＮＢから受信したことを示す情報を付けて送ることとしてもよい。
【００４７】
上記の観点に基づく動作例３を図７のシーケンス図を参照して説明する。ステップ１０６でのＤ２Ｄ通信が終了した後、ユーザ装置ＵＥ１が基地局ｅＮＢのカバレッジ内に入る（ステップ２０１）。
【００４８】
ユーザ装置ＵＥ１は、基地局ｅＮＢから送信されるコンフィギュレーションの情報を受信する（ステップ２０２）。当該コンフィギュレーションの情報は、ユーザ装置ＵＥ１が保持するインデックスとして通知されてもよく、本実施の形態ではインデックスで通知されるものとする。
【００４９】
ユーザ装置ＵＥ１は、基地局ｅＮＢから受信したコンフィギュレーションの設定（アクティベート）を行って（ステップ２０３）、通信を開始する（ステップ２０４）。その後、通信が終了する（ステップ２０５）。
【００５０】
図７の例では、ステップ２０６で、カバレッジ内にいるユーザ装置ＵＥ１が、カバレッジ外のユーザ装置ＵＥ２に、基地局ｅＮＢから受信したコンフィギュレーション情報（インデックス）を送信する（ステップ２０６）。ユーザ装置ＵＥ２は、当該インデックスに対応するコンフィギュレーションの設定を行う（ステップ２０７）。
【００５１】
（装置構成、処理フロー）
図８に、本実施の形態に係るユーザ装置ＵＥ１００の機能構成図を示す。本実施の形態では、ユーザ装置ＵＥ１、２は同一の構成を有しており、ユーザ装置ＵＥ１００は、ユーザ装置ＵＥ１、２のいずれにも使用できる。
【００５２】
図８に示すように、本実施の形態に係るユーザ装置ＵＥ１００は、送信部１０１、受信部１０２、データ通信処理部１０３、コンフィギュレーション制御部１０４、コンフィギュレーション情報記憶部１０５を有する。
【００５３】
図８に示すユーザ装置ＵＥ１００の送信部１０１と受信部１０２は、Ｄ２Ｄ通信のための送信機能、受信機能と、基地局ｅＮＢを介した通信を行うための送信機能、受信機能とを兼ねてもよいし、ユーザ装置ＵＥ１００が、Ｄ２Ｄ通信のための送信部１０１と受信１０２とは別に、基地局ｅＮＢを介した通信を行うための送信部と受信部を更に備えてもよい。また、図８に示す構成は、本発明の実施の形態に関する機能部のみを示すものであり、ユーザ装置ＵＥ１００は、Ｄ２Ｄ通信や基地局ｅＮＢとの通信等を実現するための図示しない機能も有するものである。
【００５４】
送信部１０１は無線通信により他の装置に信号を送信し、受信部１０２は無線通信により他の装置から信号を受信する。本実施の形態では、送信部１０１、受信部１０２は、ＬＴＥの無線インタフェースプロトコル（レイヤ１、レイヤ２、レイヤ３）で通信を行う機能を含む。
【００５５】
データ通信処理部１０３は、Ｄ２Ｄ通信によるデータの送受信を行うためのアプリケーションに相当する機能部である。コンフィギュレーション制御部１０４は、コンフィギュレーションの選択、設定や、コンフィギュレーション情報（インデックス）の送信／受信等のコンフィギュレーションに関する制御を行う。コンフィギュレーション情報記憶部１０５は、デフォルトコンフィギュレーションの情報（例：図４）、及び、基地局ｅＮＢから受信する通常の（デフォルトコンフィギュレーションでない）コンフィギュレーションの情報等を記憶する。
【００５６】
図９のフローチャートを参照して、ユーザ装置ＵＥ１００の動作の一例を説明する。ユーザ装置１００のコンフィギュレーション制御部１０４は、例えば、Ｄ２Ｄ通信アプリケーションとしてのデータ通信処理部１０３が動作を開始したかどうかで、Ｄ２Ｄ通信が開始したかどうかを判定する（ステップ３０１）。Ｄ２Ｄ通信が開始されている場合（ステップ３０１のＹｅｓ）、コンフィギュレーション制御部１０４は、受信部１０２を介して他のユーザ装置ＵＥからコンフィギュレーションのインデックスを受信したかどうかを判定する（ステップ３０２）。コンフィギュレーション制御部１０４は、受信部１０２を介して他のユーザ装置ＵＥからコンフィギュレーションのインデックスを受信した場合に、コンフィギュレーション情報記憶部１０５を参照することで、当該インデックスのコンフィギュレーション情報を保持していることを確認するとともに、自身で使用するコンフィギュレーションをアクティベートさせる。当該コンフィギュレーションは、例えば、ステップ３０２で受信したインデックスのコンフィギュレーションである。ただし、前述したように、自身で使用するコンフィギュレーションが他のユーザ装置ＵＥから受信したインデックスとは異なるインデックスのコンフィギュレーションである場合もある。
【００５７】
（実施の形態のまとめ、効果等）
本実施の形態により、コンフィギュレーション情報による設定に基づいて他の通信装置と無線で通信を行う通信装置であって、デフォルトコンフィギュレーション情報を保持する記億部と、前記他の通信装置に前記記億部に保持されているデフォルトコンフィギュレーション情報を送信する送信部と、前記他の通信装置からデフォルトコンフィギュレーション情報を受信する受信部と、デフォルトコンフィギュレーション情報により前記他の通信装置と無線で通信を行うための設定を行う制御部とを備える通信装置が提供される。
【００５８】
当該通信装置は例えばユーザ装置ＵＥであり、上記の構成により、通信装置が基地局のカバレッジ内に存在しない場合でも、コンフィギュレーションの設定を行って、Ｄ２Ｄ通信を行うことが可能となる。
【００５９】
前記各デフォルトコンフィギュレーション情報は、例えばデフォルトコンフィギュレーションの内容に対応するインデックスである。インデックスを用いることで、少ない情報量でデフォルトコンフィギュレーション情報の送受信や、記憶を行うことが可能となる。
【００６０】
前記制御部は、前記受信部により受信したデフォルトコンフィギュレーション情報が、前記記億部に保持されていない場合に、当該受信したデフォルトコンフィギュレーション情報を破棄し、当該デフォルトコンフィギュレーション情報を保持していないことを前記他の通信装置に通知することができる。これにより、他の通信装置は、無駄にＤ２Ｄの接続要求を送信することを回避できる。
【００６１】
前記記億部に保持されたデフォルトコンフィギュレーション情報は、装置出荷時に予め記憶した情報でもよいが、前記通信装置と通信を行う基地局から受信した情報であるとしてもよい。基地局から受信することで、デフォルトコンフィギュレーション情報の更新を容易に実現できる。
【００６２】
前記通信装置と前記他の通信装置との間で行われる通信はＤ２Ｄ通信であり、例えば前記送信部は、デフォルトコンフィギュレーション情報を含む発見信号を送信する。発見信号にデフォルトコンフィギュレーション情報を含めて送信することで、Ｄ２Ｄ通信における信号の送受信を削減できるとともに、迅速にＤ２Ｄ通信の無線接続を開始できる。
【００６３】
前記制御部は、前記通信装置が基地局のセルカバレッジ内に存在しないことを検知したときに、デフォルトコンフィギュレーション情報による設定を行うことができる。このように、セルカバレッジ内に存在しないことをトリガーとしてデフォルトコンフィギュレーション情報による設定を行うことで、セルカバレッジ外でのＤ２Ｄ通信をスムーズに行うことができる。
【００６４】
前記制御部は、前記通信装置においてＤ２Ｄ通信を使用するアプリケーションが起動されたことを検知したときに、デフォルトコンフィギュレーション情報による設定を行うこととしてもよい。これにより、ユーザが所望のアプリケーションを使用したいときに、Ｄ２Ｄ通信をスムーズに行うことができる。
【００６５】
また、本実施の形態により、コンフィギュレーション情報による設定に基づいて他の通信装置と無線で通信を行う通信装置が実行するコンフィギュレーション制御方法であって、前記通信装置はデフォルトコンフィギュレーション情報を保持する記億部を備えており、前記他の通信装置に前記記億部に保持されているデフォルトコンフィギュレーション情報を送信するとともに、前記他の通信装置から、デフォルトコンフィギュレーション情報を受信するステップと、デフォルトコンフィギュレーション情報を使用して前記他の通信装置と無線で通信を行うための設定を行うステップとを備えるコンフィギュレーション制御方法が提供される。
【００６６】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥは機能的なブロック図を用いて説明されたが、そのような各装置はハードウェアで、ソフトウェアで又はそれらの組み合わせで実現されてもよい。
【００６７】
本発明に従って、ユーザ装置ＵＥが備えるプロセッサ（ＣＰＵ）により動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００６８】
ＵＥ  ユーザ装置
ｅＮＢ  基地局
１０１  送信部
１０２  受信部
１０３  データ通信処理部
１０４  コンフィギュレーション制御部
１０５  コンフィギュレーション情報記憶部
【図１】
2015089040.tif 000003
【図２】
2015089040.tif 000004
【図３】
2015089040.tif 000005
【図４】
2015089040.tif 000006
【図５】
2015089040.tif 000007
【図６】
2015089040.tif 000008
【図７】
2015089040.tif 000009
【図８】
2015089040.tif 000010
【図９】
2015089040.tif 000011